(57)【要約】      （修正有）【課題】小物の出し入れが容易なリストバンドを提供する。【解決手段】伸縮性の編織布によって筒状に形成されたリストバンド本体２の上面に非伸縮性の編織布からなるポケット３を縫着し、小物６を収納する収納部７を形成する。リストバンド本体２は、１枚の表布２Ａと、２枚の裏布２Ｂ、２Ｃとからなり、表布２Ａの裏面側にポケット３の４辺を縫着する。ポケット３の開口部４は、リストバンド１の長手方向と直交する開口部からなり、ファスナー５によって開閉される。【選択図】図２
0003144720.tif 000002
【実用新案登録請求の範囲】
【請求項１】
伸縮性の編織布によって筒状に形成されたリストバンド本体と、このリストバンド本体の上面側に設けられた非伸縮性の編織布からなるポケットとを備え、
前記ポケットの４辺を前記リストバンド本体の上面に縫着することによりリストバンド本体とポケットとの間に小物を収納する収納部を形成し、前記ポケットに開口部を設け、この開口部にファスナーを取付けたことを特徴とするポケット付きリストバンド。
【請求項２】
請求項１記載のポケット付きリストバンドにおいて、
前記リストバンド本体は１枚の表布と、２枚の裏布とからなり、前記表布は裏面側を上にして前記裏布に重ね合わされ、前記２枚の裏布は裏面が内側になるように互いに重ね合わされて縫着され、前記ポケットは前記表布の裏面側に縫着されていることを特徴とするポケット付きリストバンド。
【請求項３】
請求項１または２記載のポケット付きリストバンドにおいて、
前記ポケットが網目状のストレッチ系ポリエステルであることを特徴とするポケット付きリストバンド。
【考案の詳細な説明】
【技術分野】
【０００１】
本考案は、手首に装着されるポケット付きリストバンドに関するものである。
【背景技術】
【０００２】
硬貨等の小物を収容するためにポケットを設けたリストバンドとしては、例えば、特許文献１〜３に開示されているように従来から種々提案されている。
【０００３】
前記特許文献１に開示されているリストバンドは、二重円筒状のリストバンド本体の表面に、別個に縫製されたポケットの裏地を熱溶融型接着剤によって溶着し、ポケットの開口部をフラップによって覆うようにしている。
【０００４】
特許文献２に記載されているリストバンドは、ウエットスーツの素材を切り取り、その外側に小銭入れとベルト通しとマジックテープ（登録商標）を取り付け、内側には、お札入れとマジックテープを取り付け、使用するときは素材を手首に巻き付け、マジックテープで止めるようにしている。
【０００５】
特許文献３に記載されているリストバンドは、リストバンド本体の表面にポケットを取付け、定期券入れとして使用するようにしている。
【０００６】
【特許文献１】特開２００８−１１５４８２号公報
【特許文献２】特開平１０−３３２３７号公報
【特許文献３】特開２００５−８２９５３号公報
【考案の開示】
【考案が解決しようとする課題】
【０００７】
しかしながら、上記した従来のリストバンドは、いずれも一長一短があり、改良の余地があった。すなわち、特許文献１に記載されているリストバンドは、リストバンド本体にポケットを熱溶融型接着剤によって溶着しているので、溶着装置および熱溶融型接着剤を必要とし、製造コストが高くなるという問題があった。
【０００８】
特許文献２に開示されているリストバンドは、ウエットスーツ素材を手首に巻き付けてマジックテープで止めているため、装着に時間が掛かり、マジックテープが不測に外れると、脱落するという問題があった。
【０００９】
特許文献３に開示されているリストバンドは、ポケットの開口を閉じる手段を備えていないので、手を動かしたり、開口部を下に向けると、ポケット内の定期券が開口部から飛び出し、脱落するおそれがあるという問題があった。
【００１０】
本考案は上記した従来の問題を解決するためになされたもので、その目的とするところは、小物の出し入れが容易なポケット付きリストバンドを提供することにある。
【課題を解決するための手段】
【００１１】
上記目的を達成するために本考案は、伸縮性の編織布によって筒状に形成されたリストバンド本体と、このリストバンド本体の上面側に設けられた非伸縮性の編織布からなるポケットとを備え、前記ポケットの４辺を前記リストバンド本体の上面に縫着することによりリストバンド本体とポケットとの間に小物を収納する収納部を形成し、前記ポケットに開口部を設け、この開口部にファスナーを取付けたものである。
【００１２】
また、本考案は、上記考案において、前記リストバンド本体が１枚の表布と、２枚の裏布とからなり、前記表布は裏面側を上にして前記裏布に重ね合わされ、前記２枚の裏布は裏面が内側になるように互いに重ね合わされて縫着され、前記ポケットは前記表布の裏面側に縫着されているものである。
【００１３】
さらに、本考案は、上記考案において、前記ポケットが網目状のストレッチ系ポリエステルからなるものである。
【考案の効果】
【００１４】
本考案においては、ポケットを備えているので、ポシェット、バッグ等を携帯せずとも収納部内にカード、キー、小銭、チケット、切符、時計、装飾品、宝石、指輪等の小物を収納した状態で携帯することができる。伸縮性の編織布からなるリストバンド本体は、手が差し込まれたとき、伸長することでポケット付きリストバンドのリストへの装着を容易にする。
【００１５】
また、本考案においては、表布の裏面を上に向けてポケットを縫着し、２枚の裏布を裏面側を内側にして縫着しているので、ポケット付きリストバンドが全体として２重の筒状体に形成され、リバーシブルタイプのポケット付きリストバンドを構成する。したがって、気分転換してファッション性を楽しむことができ、また裏返して使用したときは、ポケットの開口部を隠すことができ、ファスナーが開いていても収納部内の小物が落下するおそれが少なく、運動しているときでも安心して装着することができる。
【００１６】
また、本考案においては、ポケットの素材として網目状のストレッチ系ポリエステルからなる編織布を用いているので、ポケット付きリストバンドの美観を向上させることができる。
【考案を実施するための最良の形態】
【００１７】
以下、本考案を図面に示す実施の形態に基づいて説明する。
図１は本考案に係るポケット付きリストバンドの一実施の形態を示す外観斜視図、図２は図１のII−II線断面図である。
これらの図において、ポケット付きリストバンド１は、リストバンド本体２と、このリストバンド本体２の上面側（表面側）に設けられたポケット３と、このポケット３に設けた開口部４を開閉するファスナー５とを備え、リストバンド本体２とポケット３とでカード、キー、小銭、チケット、切符、時計、装飾品、宝石、指輪等の小物６を収納する収納部７を形成している。
【００１８】
リストバンド本体２は、伸縮性、通気性、速乾性等に優れ、また肌触りが爽やかな編織布、例えばポリエステルによって両端開放の筒状に形成されることにより、装着者の手首が差し込まれるリスト用孔８を有している。また、リストバンド本体２は、１枚の表布２Ａと、２枚の裏布２Ｂ、２Ｃとで構成されている。表布２Ａは、裏面を上にして裏布２Ｂの上に重ね合わされ、上になっている裏面側にポケット３が表面側を上にして、かつ表布２Ａとポケット３に設けた縫い代１０、１１を内側に折り曲げて重ね合わされ、一体に縫着されている。すなわち、表布２Ａとポケット３は、裏面側が互いに対向するように重ね合わされて縫着されている。同様に２枚の裏布２Ｂ、２Ｃも、表面を外側にして折り返されることにより、裏面が内側で互いに対向しており、各裏布２Ｂ、２Ｃに設けた縫い代１２、１３が内側に折り曲げられて重ね合わされ、一体に縫着されている。このため、リストバンド本体２を裏返して表布２Ａおよび裏布２Ｂを外側にし、裏布２Ｃおよびポケット３を内側にすると、リバーシブルなポケット付きリストバンドとして使用することができる。
【００１９】
前記ポケット３は、同じく通気性、速乾性等に優れ、また肌触りが爽やかな非伸縮性の編織布、望ましくは網目状のストレッチ系ポリエステルによって形成された、前記リストバンド本体２の表布２Ａと略同じ大きさの矩形布地からなり、表面を外側にして４辺が表布２Ａの裏面側に縫着されている。ポケット３の開口部４は、ポケット３の一端寄りに幅方向全長にわたって形成されている。すなわち、この実施の形態においては、リストに装着された状態において手首側となる端縁３ａより肘側端縁３ｂに向かって適宜距離離間した部位、例えば２０ｍｍ程度離間した部位を全幅にわたって切断することにより形成されている。また、開口部４は、リスト用孔８の開口端面と平行になるように、ポケット付きリストバンド１の開口方向（ポケット付きリストバンドの長手方向＝矢印Ａ方向）と直交するように形成され、その両開口縁にファスナー５のエレメント１４がそれぞれ咬着され、テープ１５がポケット３の裏面側にそれぞれ縫着されている。
【００２０】
このようなポケット付きリストバンド１の製作に際しては、伸縮性、通気性、速乾性等に優れたポリエステル等の編織布をＬ字状に裁断してリストバンド本体２とし、このリストバンド本体２を三つ折りに折り畳んで、その上にポケット３を重ね合わせ、これらを一体に縫製するか、または略同一形状の矩形に裁断された１枚の表布２Ａおよび２枚の裏布２Ｂ、２Ｃを用意して重ね合わせ、その上にさらにポケット３を重ね合わせて一体に縫着することにより容易に製作することができる。
【００２１】
上記したように本考案に係るポケット付きリストバンド１は、ポケット３を備え、収納部７を設けているので、ポシェット、バッグ等を持ち歩かなくても硬貨等の小物６を収納部７に収納することにより手軽に携帯することができ、またファスナー５を開閉することにより開口部４からの小物６の出し入れも容易に行うことができる。また、リストバンド本体２を伸縮性の編織布によって形成しているので、リストへの着脱も容易である。
【００２２】
また、ポケット付きリストバンド１は全体として２重円筒状でリバーシブルであるため、裏返して使用することにより、異なった装用感とファッション性を楽しむことができ、特に裏返して使用したときは、開口部４が内側になって隠れるため、ファスナー５を閉め忘れたとしても収納部７内の小物６が飛び出して落下、紛失するといったおそれがなく、運動時などでも安心して携帯することができる。
【００２３】
また、ポケット３の開口部４がリストバンド本体２の開口方向（矢印Ａ方向）と直交している、言い換えればポケット付きリストバンド１の周方向と平行に形成されているので、ファスナー５の開閉操作が容易で開口部４を迅速に開け閉めすることができる。すなわち、開口部４をポケット付きリストバンド１の長手方向と平行に形成し、ファスナー５のスライダー１６をポケット付きリストバンド１の長手方向に移動させた場合は、リストバンド本体２やポケット３がスライダー１６の移動方向に手繰り寄せられて重なり合い、スライダー１６のスムーズな移動を阻害する。
【００２４】
一方、本考案においては、ポケット付きリストバンド１の開口部４をリストバンド本体２の長手方向と直交するように形成しているので、スライダー１６を開口部４に沿って移動させても、リストバンド本体２は引っ張られて手首の周りを回転するだけで、リストバンド本体２およびポケット３が手繰り寄せられて重なり合うことがなく、スライダー１６を円滑に移動させることができる。また、ポケット３は非伸縮性の編織布で形成されているので、スライダー１６の移動時に伸びたりすることがなく、ファスナー５の開閉操作を一層容易にする。
【００２５】
さらに、本考案においては、ポケット４の素材として網目状のストレッチ系ポリエステルからなる編織布を用いているので、ポケット付きリストバンド１の美観を向上させることができる。
【００２６】
図３は本考案の他の実施の形態を示す外観斜視図、図４は図３のＩＶ−ＩＶ線断面図である。
この実施の形態は、ポケット３の開口部４をポケット３の手首側端縁３ａにポケット３の全幅にわたって形成し、ファスナー５によって開閉するようにしたものである。その他の構成は、上記した実施の形態と同じであるため、同一部品、部分については同一符号をもって示し、その説明を省略する。
このような構造からなるポケット付きリストバンド２０においても、上記したポケット付きリストバンド１と同様な効果が得られることは明らかであろう。
【００２７】
なお、上記した実施の形態においては、開口部４の形成位置として、装着時においてポケット３の手首側の端部３ａに近い部位と手首側端部３ａに設けた例を示したが、これに限らず肘側の端部３ｂに近い部位、または肘側端部３ｂや、中間位置に形成してもよい。また、開口部４は、リストバンド本体２の開口方向（矢印Ａ方向）と直交しているものに限らず、斜めに形成されるものであってもよい。
【００２８】
また、ファスナー５としては、スライダー１６を一つ備えたものに限らず、２つ備えたものであってもよい。
【図面の簡単な説明】
【００２９】
【図１】本考案に係るポケット付きリストバンドの一実施の形態を示す外観斜視図である。
【図２】図１のII−II線断面図である。
【図３】本考案に係るポケット付きリストバンドの他の実施の形態を示す外観斜視図である。
【図４】図３のＩＶ−ＩＶ線断面図である。
【符号の説明】
【００３０】
１…ポケット付きリストバンド、２…リストバンド本体、２Ａ…表布、２Ｂ、２Ｃ…裏布、３…ポケット、４…開口部、５…ファスナー、６…小物、７…収納部。
【図１】
0003144720.tif 000003
【図２】
0003144720.tif 000004
【図３】
0003144720.tif 000005
【図４】
0003144720.tif 000006